(57)【特許請求の範囲】
【請求項１】
施工面に取り付けられる器具本体と、器具本体に保持される環状の主光源と、施工面との間に器具本体を配置するように主光源の内側に器具本体により保持されるＬＥＤからなる副光源と、施工面から離れて配置され施工面との間に主光源を配置するように主光源を覆うカバーとを備え、カバーは、副光源からの直接光を施工面に照射する間隙を器具本体との間に有する形状に形成され、器具本体のうち副光源の周囲には、外周縁側ほど施工面に近づくように傾斜した傾斜面が形成されており、器具本体は、副光源から施工面に向かう光が主光源と前記傾斜面との間を通るように、主光源を前記傾斜面から離して保持していることを特徴とする照明器具。
【請求項２】
前記カバーは、前記間隙を通して前記主光源からの直接光を前記施工面に照射する形状に形成されていることを特徴とする請求項１記載の照明器具。
【請求項３】
前記副光源は、光の放射方向に指向性を有し、光を強く放射する方向を前記間隙に向けて配置されていることを特徴とする請求項１または請求項２に記載の照明器具。
【請求項４】
透光性を有し前記器具本体との間に前記副光源を配置するように副光源を覆うキャップを備えることを特徴とする請求項１ないし請求項３のいずれか１項に記載の照明器具。
【請求項５】
前記施工面に直交する方向において前記主光源の幅寸法の範囲内に前記カバーの外周縁が位置することを特徴とする請求項１ないし請求項４のいずれか１項に記載の照明器具。
【請求項６】
前記カバーは、前記主光源の内側であって前記副光源を囲む部位に、前記施工面に交わる向きに貫通した出射窓を有することを特徴とする請求項１ないし請求項５のいずれか１項に記載の照明器具。
【請求項７】
前記カバーは、前記出射窓の内周面に、前記副光源の光を出射窓から出射させるように反射する反射面が形成されていることを特徴とする請求項６記載の照明器具。
【発明の詳細な説明】
【技術分野】
【０００１】
本発明は、天井面や壁面等の施工面に取り付けた状態で使用される照明器具に関するものである。
【背景技術】
【０００２】
一般にこの種の照明器具１は、図６に示すように、天井面Ｓに取り付けられる器具本体３と、環形蛍光ランプからなり器具本体３に保持される主光源４と、器具本体３と共に主光源４の全体を覆うカバー５とを備えている。
【０００３】
このような照明器具１としては、主光源４よりも光出力が小さい白熱灯からなり、たとえば主光源４の消灯時に点灯させる常夜灯として用いられる副光源が設けられたものが多い。副光源６は、図７（ａ）（ｂ）に示すように器具本体３における主光源４の内側に配置され、主光源４と同様にカバー５を通して光を下向きに出射するものが一般的である。さらに近年では、図７（ｃ）のように発光効率がよくかつ長寿命であるＬＥＤ（発光ダイオード）２８を副光源６に用いたものも提供されている。
【０００４】
ところで最近、この種の照明器具１において、主光源４の光を天井面Ｓにも照射することにより、装飾性に優れた配光を実現できるようにしたものが提供されている。ただし、この照明器具１であっても、副光源６は器具本体３とカバー５とで包囲されているので、副光源６の光は器具本体３あるいはカバー５に遮られて天井面Ｓに照射することがなく、副光源６のみを点灯させる場合には上述の優れた装飾性を実現することはできない。
【０００５】
一方、図８に示すように、器具本体３の外径をカバー５よりも大きく形成し、器具本体３においてカバー５の外周縁の外側となる部分に、複数個の副光源６を器具本体３の外周縁に沿って配列した照明器具１も提案されている。このように器具本体３においてカバー５の外周縁の外側となる部分に副光源６を配列した照明器具１では、図９のように、副光源６からの直接光を器具本体３やカバー５で遮られることなく天井面Ｓに照射することも可能である（たとえば特許文献１参照）。
【特許文献１】特開２００５−１８３０３５号公報（第４−５頁、図２）
【発明の開示】
【発明が解決しようとする課題】
【０００６】
ところで、器具本体３が大型になると器具本体３は重くなるから、器具本体３の天井面Ｓへの着脱作業が困難になる。そこで、器具本体３の小型化が望まれるが、主光源４をカバー５で覆うためにはカバー５の外径を主光源４よりも大きくせざるを得ず、特許文献１に記載の照明器具１では、副光源６を配置するために器具本体３の外径をカバー５よりも大きく形成しているから、器具本体３を主光源４よりも小型化することはできない。
【０００７】
本発明は上記事由に鑑みて為されたものであって、副光源からの直接光を施工面に照射しながらも、従来構成に比べて器具本体を小型化できる照明器具を提供することを目的とする。
【課題を解決するための手段】
【０００８】
請求項１の発明では、施工面に取り付けられる器具本体と、器具本体に保持される環状の主光源と、施工面との間に器具本体を配置するように主光源の内側に器具本体により保持されるＬＥＤからなる副光源と、施工面から離れて配置され施工面との間に主光源を配置するように主光源を覆うカバーとを備え、カバーは、副光源からの直接光を施工面に照射する間隙を器具本体との間に有する形状に形成され、器具本体のうち副光源の周囲には、外周縁側ほど施工面に近づくように傾斜した傾斜面が形成されており、器具本体は、副光源から施工面に向かう光が主光源と前記傾斜面との間を通るように、主光源を前記傾斜面から離して保持していることを特徴とする。
【０００９】
この構成によれば、カバーが、副光源からの直接光を施工面に照射する間隙を器具本体との間に有する形状に形成されているので、当該間隙を通して副光源からの直接光を施工面に照射することができる。しかも、副光源は、施工面との間に器具本体を配置するように主光源の内側に器具本体により保持されるので、従来構成のように副光源を配置するために器具本体の外径をカバーよりも大きく形成する必要はなく、器具本体を主光源より小型化することもできるので、従来構成に比べて器具本体を小型化することができる。
【００１０】
請求項２の発明は、請求項１の発明において、前記カバーが、前記間隙を通して前記主光源からの直接光を前記施工面に照射する形状に形成されていることを特徴とする。
【００１１】
この構成によれば、副光源だけではなく、主光源からの直接光についても施工面に照射することができるので、主光源のみを点灯させる場合にも装飾性に優れた配光を実現することができる。
【００１２】
請求項３の発明は、請求項１または請求項２の発明において、前記副光源が、光の放射方向に指向性を有し、光を強く放射する方向を前記間隙に向けて配置されていることを特徴とする。
【００１３】
この構成によれば、副光源は、光を強く放射する方向を間隙に向けているから、副光源からの光の多くを施工面に照射して副光源による装飾性を高めることができる。
【００１４】
請求項４の発明は、請求項１ないし請求項３のいずれかの発明において、透光性を有し前記器具本体との間に前記副光源を配置するように副光源を覆うキャップを備えることを特徴とする。
【００１５】
この構成によれば、器具本体に対して施工面とは反対側にも、キャップを通して副光源からの光を取り出すことができる。
【００１６】
請求項５の発明は、請求項１ないし請求項４のいずれかの発明において、前記施工面に直交する方向において前記主光源の幅寸法の範囲内に前記カバーの外周縁が位置することを特徴とする。
【００１７】
この構成によれば、施工面に直交する方向において主光源の幅寸法の範囲内にカバーの外周縁が位置するので、副光源からの光を施工面に照射する間隙を設けながらも主光源からの光が直視されるのを防止できる。
【００１８】
請求項６の発明は、請求項１ないし請求項５のいずれかの発明において、前記カバーが、前記主光源の内側であって前記副光源を囲む部位に、前記施工面に交わる向きに貫通した出射窓を有することを特徴とする。
【００１９】
この構成によれば、器具本体に対して施工面とは反対側にも、出射窓を通して主光源および副光源の光を取り出すことができる。
【００２０】
請求項７の発明は、請求項６の発明において、前記カバーが、前記出射窓の内周面に、前記副光源の光を出射窓から出射させるように反射する反射面が形成されていることを特徴とする。
【００２１】
この構成によれば、反射面で副光源の光を反射させることによって、副光源の光を出射窓から効率よく取り出すことができる。また、副光源を点灯させて器具本体およびカバーの外側から照明器具を見た際には出射窓を通して反射面が光って見えるから、照明器具の装飾性が高まるという利点がある。
【発明の効果】
【００２２】
本発明は、カバーが、副光源からの直接光を施工面に照射する間隙を器具本体との間に有する形状に形成されているので、当該間隙を通して副光源からの直接光を施工面に照射することができる。しかも、副光源は、施工面との間に器具本体を配置するように主光源の内側に器具本体により保持されるので、従来構成のように副光源を配置するために器具本体の外径をカバーよりも大きく形成する必要はなく、器具本体を主光源より小型化することもできるので、従来構成に比べて器具本体を小型化することができるという利点がある。
【発明を実施するための最良の形態】
【００２３】
本実施形態の照明器具１は引掛シーリング（図示せず）が設けられた施工面としての天井面Ｓに取り付けて使用されるものであって、図１に示すように、引掛シーリングに電気的および機械的に接続される引掛シーリングアダプタ２（図２参照）を有する器具本体３と、器具本体３の下方に保持される環状の主光源４と、透光性を有する材料から形成され器具本体３との間に主光源４が位置するように主光源４の下方を覆うカバー５とを備えている。さらに、主光源４よりも光出力の小さいＬＥＤ（発光ダイオード）からなる副光源６が設けられている。以下では、天井面Ｓに照明器具１を取り付けた状態を示す図１の上下左右を上下左右として説明する。
【００２４】
本実施形態の器具本体３は円盤状に形成されており、前記引掛シーリングアダプタ２を引掛シーリングに接続することによって、上面を天井面Ｓに対向させた状態で天井面Ｓに取り付けられる。器具本体３の下面中央部には円形状に凹んだ凹所７が形成されており、引掛シーリングアダプタ２は、図２に示すように、凹所７の底面中央部に上下方向に貫設されたアダプタ孔８内に配置される。器具本体３の下面のうち凹所７の周囲においては、外周縁側ほど天井面Ｓに近づくように傾斜した傾斜面９が形成されている。そして、当該傾斜面９には主光源４を保持するランプ支持具１０およびランプソケット１１が下方に突出する形で設けられており、主光源４は傾斜面９から離れた位置に保持される。ここでは、主光源４の一例として２重環形の蛍光ランプを用いている。さらに、上記器具本体３に対しては、主光源４の内側となる位置に凹所７を塞ぐ構造のアダプタカバー１２が取り付けられている。詳しくは後述するが、このアダプタカバー１２内に前記副光源６が収納されている。
【００２５】
アダプタカバー１２は凹所７と同等の直径の円盤状であって、左端部に前後方向（図１では紙面に直交する方向）に軸受け孔が貫通した軸受け部１３が設けられている。この軸受け孔には、器具本体３における凹所７の周縁に支持される回動軸１４が挿通される。これにより、アダプタカバー１２は器具本体３に対して、図２に示すように回動軸１４を中心として凹所７を塞ぐ位置と開放する位置との間で回動可能に軸支される。ここで、アダプタカバー１２が凹所７を塞いだ状態では、アダプタカバー１２の上端部が凹所７内に嵌り込む形になる。なお、引掛シーリングアダプタ２の下面側には器具本体３に電気的に接続された電源コネクタ１５が接続されるので、アダプタカバー１２の上面には当該電源コネクタ１５が収納される凹部１６を設けてある。
【００２６】
さらにアダプタカバー１２には、右端部からアダプタカバー１２の上面に沿って右方に突出し、長孔（図示せず）が形成された係合部１８が設けられている。器具本体３において、アダプタカバー１２が凹所７を塞いだ状態で係合部１８に対応する位置には、係合部１８の長孔に挿入されるラッチ部１７が設けられている。ラッチ部１７は、長孔に挿入された状態で水平面内で９０度回転させることによって係合部１８における長孔の周囲に引っ掛かる構造を有している。すなわち、係合部１８をラッチ部１７に係合させることによって、凹所７を塞ぐ位置にアダプタカバー１２を保持することができる。ここで、天井面Ｓへの器具本体３の取り付け作業時には、引掛シーリングアダプタ２を引掛シーリングに結合するために、係合部１８とラッチ部１７との係合を解除して凹所７を開放し、天井面Ｓへの取り付けが完了すれば、凹所７を塞いで係合部１８とラッチ部１７とを係合させることにより、凹所７を塞ぐ位置にアダプタカバー１２を固定する。
【００２７】
一方、カバー５は、図３に示すように直径がアダプタカバー１２と同等の円形状の開口部１９を有した環状に形成されており、図１のようにアダプタカバー１２の下端部が開口部１９に挿入された状態でアダプタカバー１２に支持される。開口部１９に挿入されるアダプタカバー１２の下端縁には、周方向に延長された支持リブ２０が複数箇所（ここでは４箇所）の切欠２１を除いた全周に形成されている。そして、カバー５の開口部１９周縁にはアダプタカバー１２の各切欠２１に対応する位置にそれぞれ開口部１９内に突出する支持突起２２が形成されている。これにより、切欠２１と支持突起２２との位置を合わせてアダプタカバー１２の下端部をカバー５の開口部１９に上方から挿入させた後、カバー５を周方向に回転させて切欠２１と支持突起２２との位置をずらせば、支持突起２２が支持リブ２０に引っ掛かってカバー５がアダプタカバー１２に支持されることになる。さらにここでは、アダプタカバー１２の外周面に、アダプタカバー１２に対するカバー５の回転範囲を規制する規制リブ２３も形成されている。なお、カバー５は、照明器具１の下方から主光源４が直接見えてしまうことがないように光拡散透過性を有する材料から形成されており、ここではカバー５の外径を器具本体３の外径よりも大きくすることにより、器具本体３が下方から直接見えることも防止している。
【００２８】
また、本実施形態では、図４に示すようにアダプタカバー１２が、上下方向に分割可能なボディ２４と内カバー２５とを有し、ボディ２４と内カバー２５との間に副光源６を収納した構成を採用している。そのため、ここではボディ２４と内カバー２５とのそれぞれが透光性を有する材料から形成されている。ただし、ボディ２４および内カバー２５は、透明でもよいし、副光源６の光を拡散透過させる拡散性を有してもよい。アダプタカバー１２が凹所７を塞いだ状態ではボディ２４が下側、内カバー２５が上側となる。内カバー２５におけるボディ２４との対向面には、断面コ字状の保持突起２６が２個１組として突設されており、対をなす２個の保持突起２６は互いの対向面に溝２７を有する向きに形成される。
【００２９】
副光源６は、複数個のＬＥＤ２８を実装基板２９の一面上に並べて構成されており、各組の保持突起２６に対して、実装基板２９の左右各端部が各保持突起２６の溝２７に挿入されるように取り付けられることによって内カバー２５に保持される。各ＬＥＤ２８はそれぞれ、先端面が球面状に形成された砲弾型のレンズを有し、レンズの先端面を光の取り出し面としている。つまりレンズの中心軸方向を光の取り出し方向として光が取り出されることになる。ここでは、内カバー２５には２組の保持突起２６を設け、それぞれ各組の保持突起２６間に保持される２組の副光源６を設けてある。各組の副光源６は、それぞれのＬＥＤ２８の光の取り出し方向が水平方向となる向きに向けられている。ここで、副光源６は、器具本体３の凹所７の内周面によって光が遮られることのないように、アダプタカバー１２によって凹所７を塞いだ状態で凹所７の下端縁よりも下方となる位置に配置される。
【００３０】
なお、ここで用いるアダプターカバー１２にはさらに、照明器具１のオンオフ制御や調光制御等を行う赤外線リモコン用のリモコン受光部３０が収納される。アダプタカバー１２のボディ２４には、リモコン受光部３０の下面を露出させるように貫設された窓孔３１が形成されている。器具本体３の内部回路（図示せず）と、アダプタカバー１２内に設けた副光源６およびリモコン受光部３０とを電気的に接続する接続線３２は、アダプタカバー１２の開閉の邪魔にならないように回動軸１４の近傍を通して引き回される。
【００３１】
ところで、本実施形態の照明器具１においては、以下の構成によって副光源６からの直接光を天井面Ｓに照射できるようにしてある。
【００３２】
すなわち、カバー５は、図１に示すように、副光源６からの直接光を天井面Ｓに照射する間隙３３を、器具本体３との間に有する形状に形成されている。この構成により、副光源６からの光は図１に矢印Ａで示すように前記間隙３３を通して天井面Ｓに直接照射することができる。間隙３３はカバー５の上面と器具本体３の下面との間に形成されることになるが、器具本体３の下面には上述したように外周縁側ほど天井面Ｓに近づくように傾斜した傾斜面９が形成されているので、副光源６から天井面Ｓに向かう斜め上向きの光を器具本体３に遮られることなく取り出すことができる。さらにまた、主光源４は上述したように器具本体３の傾斜面９から離れて保持されているので、副光源６から天井面Ｓに向かう光は、主光源４と傾斜面９との間を通ることになり、主光源４によって遮られることもない。
【００３３】
ここにおいて、上述したように副光源６をＬＥＤ２８の光の取り出し方向が水平方向となる向きに向けているので、副光源６の光は天井面Ｓに沿って照明器具１から比較的離れたところに主として向けられることになる。要するに副光源６からの光を照明器具１から比較的離れたところにまで届かせることができる。ここではさらに、副光源６から天井面Ｓに向かって出射する光をカバー５が遮ることがないように、カバー５の外周縁が副光源６よりも下方に位置するようにカバー５の形状が設計されている。
【００３４】
しかも、副光源６は、器具本体３の下側であって主光源４の内側となる位置に配置されているので、従来構成のように副光源６を配置するために器具本体３の外径をカバー５よりも大きく形成する必要はなくなり、従来構成に比べて器具本体３を小型化することができる。ここでは器具本体３の外径をカバー５よりも小さく、かつ主光源４よりも小さく設定している。
【００３５】
また本実施形態では、主光源４とカバー５とが、天井面Ｓからのカバー５の高さ寸法が主光源４の高さの範囲内に収まるように、つまり上下方向においてカバー５の外周縁が主光源４の上下両端間に位置するように位置関係が設定されている。主光源４とカバー５とを上記位置関係としたことにより、主光源４からの光がカバーを通さずに直接下方に照射することはなく、照明器具１の下方から主光源４が直接見えることもない。しかも、主光源４から天井面Ｓに向かう光はカバー５に遮られることがないので、主光源４からの直接光においても、図１に矢印Ｂで示すように前記間隙３３を通して天井面Ｓに照射することになる。
【００３６】
ただし、主光源４の光は主光源４から放射状に出射されるので、主光源４を点灯させた際には天井面Ｓにおいて主光源４の近傍、つまり照明器具１の近傍の照度が特に高くなる。これに対して、副光源６の光は上述したように天井面Ｓにおいて照明器具１から比較的離れたところに主に向けられているので、副光源６を点灯させた際には天井面Ｓにおいて照明器具１から離れたところの照度が特に高くなる。要するに主光源４と副光源６とでは、天井面Ｓにおいて主に光を照射する範囲が相違し、照明器具１の周囲の天井面Ｓを違った形に照らすことができるので、互いに異なる雰囲気を演出することができる。
【００３７】
図１では２組の副光源６におけるそれぞれの光の取り出し面（つまりＬＥＤ２８の先端面）を左方および右方に向けているが、この構成に限るものではない。つまり、たとえばランプ支持具１０やランプソケット１１、回動軸１４や接続線３２等が副光源６からの光を遮る位置に存在するのであれば、図４に示すように各組の副光源６におけるそれぞれの光の取り出し面を前方および後方に向けるなどして、水平方向であってランプ支持具１０やランプソケット１１、回動軸１４や接続線３２等が存在しない方向に副光源６の光が出射される構成とすることが望ましい。
【００３８】
また、本実施形態の照明器具１は、副光源６からの光を天井面Ｓに照射するだけではなく天井面Ｓとは反対側つまり照明器具１の下方にも出射する。そのための構成として、図５に示すように、透光性を有する材料から形成され器具本体３との間に副光源６が位置するように副光源６の下方を覆うキャップ３４が設けられている。キャップ３４はカバー５と同様にアダプカバー１２に支持されるものであって、アダプタカバー１２の下面にはキャップ３４を取り付けるための取付孔３５が外周縁に沿って複数個（ここでは２個）形成されている。各取付孔３５は、アダプタカバー１２の周方向に延長されており、長手方向の一端部のみが幅広に形成されている。キャップ３４には、各取付孔３５に対応する位置に、それぞれ上方に突出し、先端部が内側に延長されたＬ字状の取付片３６が設けられている。これにより、取付片３６の先端部を取付孔３５の幅広の一端部からアダプタカバー１２内に挿入し、キャップ３４を周方向に回転させれば、取付片３６の先端部が取付孔３５の周囲に引っ掛かってキャップ３４がアダプタカバー１２に支持されることになる。
【００３９】
副光源６を収納したアダプタカバー１２において副光源６の下方を覆っているボディ２４は上述したように透光性を有する材料から形成されているので、上記構成により、副光源６からの光はアダプタカバー１２とキャップ３４とを通して下方に出射されることになる。ただし、キャップ３４は、照明器具１の下方から副光源６やリモコン受光部３０が直接見えてしまうことがないように、光拡散透過性を有する材料から形成することが望ましい。
【００４０】
さらに、カバー５において主光源４の内側であって副光源６を囲む部位には、上下方向に貫通する出射窓３７が形成されており、この出射窓３７を通しても副光源６の光の一部（図１に矢印Ｃで示す）は下方に取り出されることになる。本実施形態では出射窓３７はアダプタカバー１２の周方向に４分割されている。またカバー５は、出射窓３７の内周面に副光源６からの光の一部を反射する反射面３８を形成している。反射面３８は上方ほど出射窓３７の開口面積が小さくなるように傾斜しており、反射面３８に照射する副光源６からの光の一部を反射面３８で下方に反射する。これにより、副光源６の光を出射窓３７から下方に効率よく取り出すことができる。
【００４１】
なお、副光源６は、主光源４の消灯時に点灯させる常夜灯として機能するものであってもよいが、主光源４と同時に点灯させることにより照明器具１の出力光の演色性を高めるために用いてもよい。また、副光源６として用いるＬＥＤ２８の発光色は特に限定するものではなく、電球色や青色などの発光色を適宜選択すればよい。
【００４２】
上記実施形態では、天井面Ｓに取り付けられる照明器具１を例示したが、本発明の照明器具１が取り付けられる施工面は天井面Ｓに限るものではなく、たとえば壁面などであってもよい。
【図面の簡単な説明】
【００４３】
【図１】本発明の実施形態を示し、一部を破断した正面図である。
【図２】同上に用いる器具本体およびアダプタカバーを示す断面図である。
【図３】同上の分解斜視図である。
【図４】同上に用いるアダプタカバーの分解斜視図である。
【図５】同上の分解斜視図である。
【図６】従来例を示す正面図である。
【図７】他の従来例を示し、（ａ）は一部を破断した正面図、（ｂ）は器具本体の下面図、（ｃ）は要部の正面図である。
【図８】さらに他の従来例を示し、（ａ）は一部を破断した正面図、（ｂ）は（ａ）の要部の下面図、（ｃ）は一部を破断した正面図、（ｄ）は（ｃ）の要部の下面図である。
【図９】さらに他の従来例を示す斜視図である。
【符号の説明】
【００４４】
１  照明器具
３  器具本体
４  主光源
５  カバー
６  副光源
２８  ＬＥＤ
３３  間隙
３４  キャップ
３７  出射窓
３８  反射面
Ｓ  天井面（施工面）
【図１】
0004634944.tif 000002
【図２】
0004634944.tif 000003
【図３】
0004634944.tif 000004
【図４】
0004634944.tif 000005
【図５】
0004634944.tif 000006
【図６】
0004634944.tif 000007
【図７】
0004634944.tif 000008
【図８】
0004634944.tif 000009
【図９】
0004634944.tif 000010